(57)【要約】      （修正有）【課題】装置の大型化を抑制し、包装硬貨の読取り性能を向上させ、補充時に係員の包装硬貨の汚損選別業務を低減する。【解決手段】複数本の包装硬貨２９を並べて収納可能なトレー２７と、トレー２７内の包装硬貨２９の端面を検知する反射型センサ３１と包装硬貨２９の並び方向に沿って反射型センサ３１を移動させる本数検知駆動モータ３２と、本数検知駆動モータ３２が反射型センサ３１を移動させ、反射型センサ３１による包装硬貨２９の端面の検知結果に基づき、包装硬貨２９の有無を検知する制御部とを有する。また、制御部は、包装硬貨２９の有無を検知する感度を高低に変化させることで、包装硬貨２９の端面に汚れがあっても本数判定することができ、本数の読取り率を向上することができる。【選択図】図２
2012168672.tif 000002
【特許請求の範囲】
【請求項１】
複数本の包装硬貨を並べて収納可能なトレーと、
光を照射する発光部と光を受光する受光部とを包装硬貨の一の端面に対向する位置に配し、前記発光部が包装硬貨に照射した光の反射光を前記受光部が受光することにより、前記トレー内の包装硬貨の端面を検知する反射型センサを有する計数手段と、
包装硬貨の並び方向に沿って前記反射型センサを移動させる移動手段と、
前記移動手段が前記反射型センサを移動させた場合に、前記計数手段は、前記反射型センサによる包装硬貨の端面の検知結果に基づき、包装硬貨の有無を判定し、包装硬貨の本数を計数することを特徴とする包装硬貨処理装置。
【請求項２】
請求項１に記載の包装硬貨処理装置であって、
前記計数手段は、包装硬貨の有無を検知する感度を高低に変化させることを特徴とする。
【請求項３】
請求項１又は２に記載の包装硬貨処理装置であって、
前記計数手段は、前記移動手段が前記反射型センサを移動させる場合に、前記反射型センサの発光量を強弱に変化させることを特徴とする。
【請求項４】
請求項３に記載の包装硬貨処理装置であって、
前記計数手段は、前記反射型センサを一の方向に移動させる場合の発光量の強さを、他の方向に移動させる場合の発光量の強さよりも強く又は弱くすることを特徴とする。
【請求項５】
複数本の包装硬貨を並べて収納可能なトレーに、装填される包装硬貨の端面が見えるように包装硬貨の並び方向に沿ってスリットを設け、
前記トレー内の包装硬貨の端面が見えるように反射型センサを配置して、トレーのスリットに沿って前記センサを移動させる手段と、
前記センサ移動時にセンサの発光量を強弱に切替え可能とし、
弱い発光量、強い発光量で得た受光量を閾値から包装硬貨有無の低感度、高感度の二値化情報をそれぞれ生成する手段ど、
低感度の二値化情報から包装硬貨が検知できる有り長さ、包装硬貨が検知できない無し長さを算出し、包装硬貨の本数を検知する手段と、
低感度で有りを検知できない場合は、高感度の二値化情報から有り長さを算出し、包装硬貨の本数を計数する手段と、を備えることを特徴とする包装硬貨処理装置。
【請求項６】
複数本の包装硬貨を並べて収納可能なトレーに、装填される包装硬貨の端面が見えるように包装硬貨の並び方向に沿ってスリットを設け、
前記トレー内の包装硬貨の端面が見えるように反射型センサを配置して、トレーのスリットに沿って前記センサを移動させる手段と、
前記センサ移動時に取得した受光量を感度の低い閾値と感度の高い閾値で包装硬貨有無の二値化情報をそれぞれ生成する手段と、
感度の低い閾値で生成した二値化情報から包装硬貨が検知できる有り長さ、包装硬貨が検知できない無し長さを算出し、包装硬貨の本数を検知する手段と、
感度の低い閾値で生成した二値化情報で有りを検知できない場合は、感度の高い閾値で生成した二値化情報から有り長さを算出し、包装硬貨の本数を計数する手段と、を備えることを特徴とする包装硬貨処理装置。
【発明の詳細な説明】
【技術分野】
【０００１】
本発明は、金融機関の自動両替装置や釣銭販売機などに適用されるような包装硬貨処理装置及び、包装硬貨処理装置を搭載した自動取引装置に関するものである。
【背景技術】
【０００２】
従来、包装硬貨処理機は、複数本の包装硬貨を並べて収納可能なトレーの両面にスリットを設け、トレー内の包装硬貨の有無を検出する透過型センサを配した本数検知機構を有して、透過型センサを移動し、発光素子からの光がスリットを通過し受光素子に光が入射するか否かでその出力がＯＮ、ＯＦＦに変化し、得られたＯＮ、ＯＦＦ回数およびＯＮ、ＯＦＦの変化の間隔から装填されている包装硬貨の本数を検出している。このような従来の装置としては、特開平１０−１８８０６９（特許文献１）が知られている。
【先行技術文献】
【特許文献】
【０００３】
【特許文献１】特開平１０-１８８０６９号公報
【発明の概要】
【発明が解決しようとする課題】
【０００４】
特許文献１のような透過型センサを用いた本数検知機構を設けようとすると包装硬貨の両端面を挟み込むように投光側と受光側の素子を配置しなければならず、装置が大型化することがある。
【０００５】
本発明の目的は、装置の大型化を抑制することを目的とする。また、包装硬貨の読取り性能を向上させ、補充時に係員の包装硬貨の汚損選別業務を低減することを目的とする。
【課題を解決するための手段】
【０００６】
上記課題を解決するために、例えば特許請求の範囲に記載の構成を採用する。 本願は上記課題を解決する手段を複数含んでいるが、その一例を挙げるならば、複数本の包装硬貨を並べて収納可能なトレーと、トレー内の包装硬貨の端面を検知する反射型センサを有する計数手段と、包装硬貨の並び方向に沿って反射型センサを移動させる移動手段と、移動手段が反射型センサを移動させた場合に、計数手段は、反射型センサによる包装硬貨の端面の検知結果に基づき、包装硬貨の有無を判定し、包装硬貨の本数を計数することを特徴とする。これにより、装置を小型化することが可能となる。
【０００７】
また、計数手段は、包装硬貨の有無を検知する感度を高低に変化させることを特徴とする。又は、計数手段は、センサ移動手段が反射型センサを移動させる場合に、反射型センサの発光量を強弱に変化させ、包装硬貨の有無を検知することを特徴とする。これにより、包装硬貨の本数の正確な検出が可能となる。例えば、通常の発光量では包装硬貨の汚れ度合いにより有りと見える十分な受光量が得られず、強い発光量では包装硬貨の汚れに依存することなく有りと見えるものの隣り合う包装硬貨同士の接点下部の無し部分が見えず１本と判断できない場合でも、包装硬貨の本数の計数が可能となる。
【０００８】
また、計数手段は、前記反射型センサを一の方向に移動させる場合の発光量の強さを、他の方向に移動させる場合の発光量の強さよりも強く又は弱くすることを特徴とする。これにより、１個のトレーに対してセンサ１個で発光量の強弱の受光量を得られることから複数個のセンサは不要となりコストダウンが可能となる。
【０００９】
また、複数本の包装硬貨を並べて収納可能なトレーに、装填される包装硬貨の端面が見えるように包装硬貨の並び方向に沿ってスリットを設け、トレー内の包装硬貨の端面が見えるように反射型センサを配置して、トレーのスリットに沿ってセンサを移動させる手段と、センサの移動時に発光量を強弱に切替え可能な発光素子を設け、受光素子に光が入射して得られる受光量を発光量ごとに二値化する手段を設け、弱めの発光量で得た二値化情報から有り長さ、無し長さを算出し、有り長さと無し長さから媒体有無を判定し、判定で媒体無しとなった場合、強めの発光量で得た二値化情報を用いて有り長さを算出し、媒体有無を再判定する手段を備えることを特徴とする。
【００１０】
また、強弱に発光量を切替える代わりに、一定の発光量で得た受光量を低い感度の閾値と高い感度の閾値を用いて、それぞれ二値化情報を生成する手段を備えてもよい。
【発明の効果】
【００１１】
本発明によれば、反射型センサを用いることにより装置を小型化することが可能となる。また、反射型センサを用いた本数検知機構を用いた場合でも、包装硬貨の汚損による読取り不良を低減することができる。
【図面の簡単な説明】
【００１２】
【図１】自動両替装置の図
【図２】包装硬貨処理機の内部図
【図３】包装硬貨処理機の部分拡大図
【図４】包装硬貨処理機の内部制御ブロック図
【図５】端面に汚れのない包装硬貨の本数の判定方法図
【図６】端面に汚れのある包装硬貨の本数の判定方法図
【図７】計数動作処理フロー図
【図８】本数判定処理フロー図
【発明を実施するための形態】
【００１３】
以下、図１〜図８を用いて、本発明の一実施形態について説明する。本実施形態は、銀行等の金融機関に設置され、顧客及び係員の操作により、両替用包装硬貨の出金等の取引を行う自動両替装置に内蔵される包装硬貨処理機に関する。
【００１４】
図１は、包装硬貨の両替に使用される自動両替装置の外観図を示す。自動両替装置１１は図１のような形状をしており、自動両替装置１１の正面には、利用者への利用方法等のガイダンスを表示し、利用者が取扱手順に従い希望する取引内容等の選択入力に使用する操作・表示部１２を装備し、利用者が両替を希望する硬貨、両替に必要な手数料を投入するための硬貨投入口１５を備えている。
【００１５】
自動両替装置１１内部には両替のための紙幣を投入できる紙幣投入口１４を備え、投入された紙幣を計数し収納する機能を有した紙幣処理機１３、両替として利用者へ包装硬貨を放出し、利用者が包装硬貨を取出し、受取りできる包装硬貨取出口１７を備え、払出す包装硬貨を格納、繰出し、放出する包装硬貨処理機１６を備えている。紙幣投入口１４、包装硬貨取出口１７はいずれも自動両替装置１１の前面に開口部として位置し、利用者が紙幣投入、包装硬貨受取りができるものとしている。
【００１６】
図２は包装硬貨処理機１６の内部構造を、側面から示した図である。同図に示すように、包装硬貨処理機１６は、フィーダ部２１とワゴン部２６とで構成し、フィーダ部２１とワゴン部２６は前後に配置されている。
【００１７】
上述のフィーダ部２１は、バケット２３とバケット昇降モータ２５で構成されている。同バケット２３は、上面が開口した直方体形状からなり、同バケット２３は、フィーダ部２１内を２本のガイドレールに沿って上下に移動することができる構造となっており、バケット昇降モータ２５によって、同バケット２３は、フィーダ部２１内を上昇移動、及び重力による自由落下により、下降移動することができる。
【００１８】
対面するフィーダ部２１とワゴン部２６の間には、媒体情報２８の読取り位置ならびにバケット２３の繰出し停止位置を示すスリットレールを取付けている。
バケット２３側面には、回転可能なローラ形状をしたエンコーダを取付け、同エンコーダは、ガイドレールに接触しており、バケット２３の上下移動に同期しながら回転できるものとしている。
【００１９】
同バケット２３内部にはトレー２７に装填された包装硬貨２９をバケット２３へ繰出すための繰出しアームを備えている。同繰出しアームは、Ｔ字型形状をし、円弧状に回転運動できる構造となっている。
【００２０】
フィーダ部２１の上面には、各トレー２７より繰出した包装硬貨２９をバケット２３から取出すために水平方向に開閉移動できる取出口シャッタ２２を備えている。バケット２３には包装硬貨２９有無状態を検出することができる抜取検知センサを備えている。
【００２１】
また、同トレー２７のワゴン部２６に対面する側面には、各トレー２７に付加された媒体情報２８を読取る手段、上下に昇降移動するバケット２３を繰出し位置に停止させる手段、トレー２７の空状態を検知する手段を持ったセンサ部２４を備えている。
【００２２】
上述のワゴン部２６は、２つ以上の同一構造とするトレー２７を垂直方向に積上げ状に配置され、同図に示すように前述フィーダ部２１に面する側を下方になるように、斜めに配置されている。
【００２３】
同トレー２７には、フィーダ部２１に対面する側面には、装填された包装硬貨２９の金種を表すために、媒体情報２８を付加してあり、同トレー２７には、媒体情報２８で表す、５００円硬貨、１００円硬貨、５０円硬貨、１０円硬貨、５円硬貨、１円硬貨について、同一金種硬貨を重ね合わせ、棒状に包装した包装硬貨２９を同一金種毎にまとめて横一線状に置き装填してある。
【００２４】
各トレー２７はワゴン部２６内の何れの位置にも配置でき、装填される包装硬貨２９の端面が見えるように包装硬貨２９の並び方向に沿ってスリットを設けた構造になっている。
【００２５】
ワゴン部２６には本数検知部３０を設け、本数検知駆動モータ３２でトレー２７のスリットに沿って移動する。ワゴン部２６には回転可能なローラ形状をしたエンコーダ３３を取付け、同エンコーダ３３は、本数検知部３０の移動に同期しながら回転できるものとしている。
【００２６】
図３は、トレー２７と反射型センサ３１の部分拡大図を示す。本数検知部３０にはトレー２７の側面に装填された包装硬貨２９の端面が見えるようにスリット３４を設け、スリット３４上を走査する本数有無を検知する手段を持った反射型センサ３１を備える。ここで、反射型センサ３１は、光を発光、照射する発光素子と、当該発光素子による発光に基づく拡散光、反射光などを受光する受光素子とを備える。また、これらの発光素子と受光素子は、透過型センサのよう（包装硬貨２９を挟むように）包装硬貨２９の両端面のそれぞれと対向する位置に配されるのではなく、いずれも包装硬貨２９の一の端面と対向する位置に配される。
【００２７】
図４は、包装硬貨処理機１６の制御ブロック図を示したものである。ＣＰＵ４１は、ＲＯＭ４７に格納されたプログラムにしたがって各制御部を制御し、トレー情報などの制御データを記憶部４８に記憶する。
【００２８】
各制御部は、自動両替装置１１からの計数動作指示を受取る上位制御部４９と、バケット昇降モータ２５を制御し、バケット２３を上下移動制御するバケット昇降制御部４２と、トレー２７に付加された媒体情報２８をセンサ部２４から読取るための媒体情報読取り制御部４３と、本数検知駆動モータ３２を制御し、本数検知部３０を後端から先端方向へ移動時には反射型センサ３１の発光量を弱い発光量に設定し、あるいは先端から後端方向へ移動時には反射型センサ３１の発光量を強い発光量に設定し、移動制御する本数駆動制御部４４と、本数検知部３０の移動時にエンコーダ３３の出力信号と同期させながら反射型センサ３１の受光量を読取り、閾値から包装硬貨有無の二値化情報を生成し、それぞれの二値化情報から本数を判定する本数判定制御部４５から構成される。
【００２９】
なお、本数検知部３０、反射型センサ３１、本数判定制御部４５などの、包装硬貨を計数する手段を総称して計数手段ともいう。
【００３０】
図５に端面に汚れのない包装硬貨２９の本数の判定方法を詳細に記す。図に示す例は、反射型センサ３１の発光量を弱い発光量に設定し、反射型センサ３１を後端から先端方向へ移動しながら、エンコーダ３３の出力信号と同期させながら反射型センサ３１の受光量を読取るものである。
【００３１】
包装硬貨がある区間は包装硬貨の端面に反射し受光量は大きくなり、包装硬貨がない区間は反射がないため受光量は小さくなる傾向がある。発光量が強い発光量であると、包装硬貨と包装硬貨の接点下部の無し部分に乱反射が入り受光量が増大するため接点下部の無し部分が判断できない。そこで、包装硬貨と包装硬貨の接点下部の無し部分を見るために発光量は弱めに設定されている。
【００３２】
エンコーダ３３の出力信号と同期させながら読取った受光量を閾値Ｘで二値化し、包装硬貨がある区間はＯＮの出力となり、包装硬貨がない区間はＯＦＦの出力となる。連続してＯＮするエンコーダ数と連続してＯＦＦするエンコーダ数をそれぞれ算出し、金種ごとの１本とするＯＮ回数の規定量の範囲内にあれば１本と計数することができる。
【００３３】
図６に端面が汚れのある包装硬貨３５の本数の判定方法を詳細に記す。
【００３４】
図に示す例は、本数検知部３０の反射型センサ３１の発光量を弱い発光量に設定し、本数検知部３０を後端から先端方向へ移動し、反射型センサ３１の発光量を強い発光量に設定し、先端から後端方向へ移動する例を示す。いすれも移動しながら、エンコーダ３３の出力信号と同期させながら反射型センサ３１の受光量を読取るものである。弱い発光量で得た受光量をみると、包装硬貨の端面が汚れている区間は反射する受光量が小さくなり、包装硬貨がない区間と受光量の差が少ない傾向がある。
【００３５】
一方、強い発光量で得た受光量をみると、包装硬貨の端面が汚れている区間でも反射する受光量は大きなものとなり、包装硬貨がない区間との差が大きい傾向がある。
【００３６】
弱い発光量で読取った受光量を閾値Ｘで二値化すると、端面が汚れた包装硬貨の区間はＯＦＦの出力となる。連続してＯＦＦするエンコーダ数が１本相当あった場合、包装硬貨の汚れにより検出できないのか、異常装填で実際に包装硬貨がないのかを切り分けることができない。そこで、弱い発光量の連続してＯＦＦするエンコーダ数が１本相当となる区間について、強い発光量で読取った受光量を閾値Ｙで二値化し、ＯＮするエンコーダ数を算出する。算出されたＯＮするエンコーダ数が予め設定された１本と計数するＯＮ回数の規定量の範囲内にあれば１本と計数することができる。
【００３７】
このように構成された自動両替装置１１より計数指示する包装硬貨処理機１６の計数動作を図７の処理フローに示す。
【００３８】
包装硬貨処理機１６は、バケット２３を初期位置である上端位置より下端移動する（ステップＬ１）。バケット２３は下降移動しながら、トレー２９に付加された媒体情報２８を読取り、各トレーの金種情報を記憶する（ステップＬ２）。
【００３９】
次に、初期位置が後端位置にある本数検知部３０の反射型センサ３１のＬＥＤ発光量を弱い発光量に設定する（ステップＬ３）。本数検知部３０を後端位置から先端位置へ移動しながら、エンコーダ３３の出力信号と同期させながら反射型センサ３１の受光量を読取り、低い受光量の閾値で二値化情報を生成する（ステップＬ４）。先端位置にある本数検知部３０の反射型センサ３１のＬＥＤ発光量を強い発光量に設定する（ステップＬ５）。本数検知部３０を先端位置から後端位置へ移動しながら、エンコーダ３３の出力信号と同期させながら反射型センサ３１の受光量を読取り、高い受光量の閾値で二値化情報を生成する（ステップＬ６）。
【００４０】
全トレーについて生成された低感度の二値化情報と高感度の二値化情報を用いて、それぞれのトレーごとで本数判定処理を行う（ステップＬ７）。全トレーで本数判定された計数結果を記憶し（ステップＬ８）、下端位置にあるバケット２３を初期位置である上端位置に移動する（ステップＬ９）。最後に、自動両替機１１に包装硬貨処理機１６で得られた計数結果を返す。
【００４１】
本処理フローにおける本数判定処理（ステップＬ７）について、図８に詳細に記述する。
【００４２】
まず、該当トレーの本数を０に初期化し、金種情報を取得する（ステップＬ１０）。
【００４３】
次に、該当トレーの低感度の二値化情報から連続するＯＮ回数および連続するＯＦＦ回数を算出する（ステップＬ１１）。
ＯＦＦ回数が該当金種のｎ本分（ｎ＝１〜フル本数）の規定量ないか判定する（ステップＬ１２）。規定量なければ隣り合う包装硬貨同士の接点下部の無し部分と判断し、ＯＮ回数を参照する。ＯＮ回数が該当金種の１本とする規定量の範囲内ならば（ステップＬ１３）、該当トレーの本数を１本カウントアップし（ステップＬ１４）、１本とする規定量の範囲外ならば（ステップＬ１３）、該当トレーに異常装填を記憶する（ステップＬ１５）。
【００４４】
判定後は、次のＯＦＦ回数、ＯＮ回数を参照し（ステップＬ１６）、ステップＬ１２から繰り返す。
【００４５】
ステップＬ１２でＯＦＦ回数がｎ本相当の規定量あれば、ＯＦＦ回数に該当する区間について高感度の二値化情報を参照し、ＯＮ回数を算出する（ステップＬ１７）。この区間の高感度のＯＮ回数が０回かそれ以外かを判断する（ステップＬ１８）。高感度のＯＮ回数が０回ならば包装硬貨なしの終端と判断し（ステップＬ１９）、該当トレーの本数判定は終了する。更に全トレーの判定が完了していれば（ステップＬ２０）、本数判定終了し、全トレーの判定が完了していなければ次トレーを参照し（ステップＬ２１）、ステップＬ１０から繰り返す。
【００４６】
ステップＬ１８で高感度のＯＮ回数が１回以上あり、ＯＮ回数が該当金種のｎ本とする規定量の範囲内にあれば（ステップＬ２２）、本数をｎ本カウントアップし（ステップＬ２３）、規定量の範囲外ならば異常装填を記憶する（ステップＬ２４）。判定後は、次のＯＦＦ回数、ＯＮ回数を参照し（ステップＬ２５）、ステップＬ１２から繰り返す。
【００４７】
上記実施形態では、弱い発光量、強い発光量で得た受光量を閾値から包装硬貨有無の低感度、高感度の二値化情報をそれぞれ生成する方法として、本数検知部３０を後端位置から先端位置へ移動しながら、エンコーダ３３の出力信号と同期させながら反射型センサ３１の受光量を読取り、閾値で低感度の二値化情報を生成し、本数検知部３０を先端位置から後端位置へ移動しながら、エンコーダ３３の出力信号と同期させながら反射型センサ３１の受光量を読取り、閾値で高感度の二値化情報を生成する方法を説明したが、一方向へ移動する際に反射型センサ３１の発光量を所定の間隔で強弱に切替えながら、より詳細には、一方向への移動の際に、強弱いずれの発光量においても、一の包装硬貨の有無が検知できる程度の周期で発光量の強弱を切替ながら、低感度、高感度の二値化情報を生成する方法もある。これにより、一の移動にて、低感度、高感度の両方に基づく硬貨の有無の情報を取得できることとなり、計数動作時間を短縮することが可能となる。
【００４８】
また、上記実施形態では、弱い発光量、強い発光量で得た受光量を閾値から包装硬貨有無の低感度、高感度の二値化情報をそれぞれ生成する方法として、本数検知部３０を後端位置から先端位置へ移動しながら、エンコーダ３３の出力信号と同期させながら反射型センサ３１の受光量を読取り、閾値で低感度の二値化情報を生成し、本数検知部３０を先端位置から後端位置へ移動しながら、エンコーダ３３の出力信号と同期させながら反射型センサ３１の受光量を読取り、閾値で高感度の二値化情報を生成する方法を記述したが、発光量の強弱を切替えずに取得した受光量を感度の低い閾値と感度の高い閾値で低感度、高感度の二値化情報をそれぞれ生成してもよい。
【００４９】
また、先に強い発光量で本数検知部３０を移動させ、包装硬貨を検知し、後に弱い発光量で本数検知部３０を移動させ包装硬貨を検知するように制御してもよい。これにより、フィーダ部から最も離れた位置にある包装硬貨の有を確実に検知することが可能となる。例えば、先端位置から後方に本数検知部３０を移動させる場合に、本数検知部３０が、最後の包装硬貨を検知した後、所定量の包装硬貨無しを検知した場合に、後端位置まで移動することなく、途中で逆走し、弱い発光量で計数をすることが可能となる。
【００５０】
以上のように、本発明の一実施形態としては、複数本の包装硬貨を並べて収納可能なトレーと、光を照射する発光部と光を受光する受光部とを包装硬貨の一の端面に対向する位置に配し、発光部が包装硬貨に照射した光の反射光を受光部が受光することにより、トレー内の包装硬貨の端面を検知する反射型センサを有する計数手段と、包装硬貨の並び方向に沿って反射型センサを移動させる移動手段と、移動手段が反射型センサを移動させた場合に、計数手段は、反射型センサによる包装硬貨の端面の検知結果に基づき、包装硬貨の有無を判定し、包装硬貨の本数を計数することにより、包装硬貨処理装置の小型化を可能とする。
【００５１】
また、計数手段は、包装硬貨の有無を検知、判定する感度を高低に変化させることにより、より具体的には、前記移動手段が前記反射型センサを移動させる場合に、前記反射型センサの発光量を強弱に変化させることにより、包装硬貨の有無の検知をより正確なものとすることが可能となる。
【００５２】
また、低感度で包装硬貨の本数を検知した後で、高感度で検知することにより、汚れのない包装硬貨は低感度で得た結果から一方向のみで本数確定できるため、高感度の結果を使用することなく判定時間を短縮できる効果を有する。
【符号の説明】
【００５３】
１１・・・自動両替装置、１２・・・操作・表示部、１３・・・紙幣処理機、１４・・・紙幣投入口、１５・・・硬貨投入口、１６・・・包装硬貨処理機、１７・・・包装硬貨取出口、２１・・・フィーダ部、２２・・・取出口シャッタ、２３・・・バケット、２４・・・センサ部、２５・・・バケット昇降モータ、２６・・・ワゴン部、２７・・・トレー、２８・・・媒体情報、２９・・・包装硬貨、３０・・・本数検知部、３１・・・反射型センサ、３２・・・本数検知駆動モータ、３３・・・エンコーダ、３４・・・スリット
【図１】
2012168672.tif 000003
【図２】
2012168672.tif 000004
【図３】
2012168672.tif 000005
【図４】
2012168672.tif 000006
【図５】
2012168672.tif 000007
【図６】
2012168672.tif 000008
【図７】
2012168672.tif 000009
【図８】
2012168672.tif 000010